【事件の表示】
　特願２０００−　４５０２１「パチンコ機の景品球払出装置」拒絶査定不服審判事件〔平成１２年　７月１１日出願公開、特開２０００−１８９６２１〕について、次のとおり審決する。
【結　論】
　本件審判の請求は、成り立たない。
【理　由】
　 
第一、手続きの経緯及び本願発明
　本願は、平成５年２月２２日に出願した特願平５−５７６９３号の一部を平成１２年２月２２日に新たな出願としたものであって、平成１５年１２月５日付けで拒絶理由が通知され、これに対し、平成１６年２月１３日付けで意見書が提出され、同年８月３１日付けで拒絶査定がなされ、これに対し、同年１０月５日に拒絶査定不服の審判請求がなされるとともに、同年１１月１日付けで手続補正がなされたものであり、その後、当審において、平成１９年９月２１日付けの補正の却下の決定により上記平成１６年１１月１日付け手続補正は却下され、当該決定に対する訴えが提起されなかったので、当該決定は確定した。 
　したがって、本願の請求項１及び２に係る発明は、願書に最初に添付した明細書の記載からみて、その特許請求の範囲の請求項１及び２に記載されたとおりのものと認められるところ、その請求項１に記載された発明は次のとおりのものである。
　【請求項１】　リードスクリューと、該リードスクリューを回転させる駆動モータとを備え、前記リードスクリューの回転により供給通路の景品球を１個ずつ排出するようにした景品球払出装置において、前記駆動モータのモータ軸にリードスクリューを一体に固着し、前記供給通路を景品球がリードスクリュー側へ横方向から導かれるように形成し、また、リードスクリューはその外周面に鍔状の球支持部が螺旋状に設けられるとともに、少なくともその球導入側付近の球支持部が球導入側に向かって薄くなるように形成されていることを特徴とするパチンコ機の景品球払出装置。
　
第二、先願明細書等に記載された事項
　原査定の拒絶理由通知に引用された、本願の特許出願の日前の他の実用新案登録出願であって当該特許出願後に出願公開がされた実願平４−１１３４７号（実開平５−７０５８１号のＣＤ−ＲＯＭ参照）（以下、「先願」という。）の願書に最初に添付した明細書又は図面（以下、「先願明細書等」という。）には、次の事項が記載されている。 
　（１）「【０００１】
    【産業上の利用分野】
  本考案は、パチンコ機における玉払出機に関するものである。」、
　（２）「【０００５】
  本考案は、・・・迅速、且つ、任意な数の玉の払い出し動作を可能にすると共に、組付作業の簡略化及び時間短縮を図ることができる玉払出機を提供することを目的とする。」、
　（３）「【０００９】
  図１及び図２に示すように、玉払出機１０を構成する上部基体６には賞品玉１２を案内するための案内路１６が形成されており、その案内路１６は、玉払出機１０の下部基体５に四ヶ所設けられた払出口１７から上方へ延びて、略十字形状に形成された誘導路１８と連通している。この誘導路１８内には、軸体１ａの周囲に賞品玉１２の直径とほぼ等しい幅となるような螺旋状の玉通路１ｂを備えた流下防止部材１が取り付けられており、その軸体１ａの上部は周知のパルスモータ３の回転軸３ａに留めネジ４により取り付けられ、下部は軸受２を介して下部基体５の内側底面に回転可能に支持されている。前記パルスモータ３はネジ８により上部基体６に設けられたネジ穴６ａを介して下部基体５に切られたタップ５ａにネジ留めされる。このパルスモータ３が回転駆動されることにより、流下防止部材１も軸体１ａを中心として図２に示す矢印Ａ方向へ回転する。」　
　（４）「【００１１】
  図３は、上記のように構成された玉払出機１０を、賞品玉１２を払い出すための装置としてパチンコ機に取り付けた状態を示すものであり、・・・」、
　（５）「【００１３】
  玉払出機１０の動作を制御する玉払い出し制御回路２４には前記パルスモータ３を駆動するための駆動パルスを発生するモータ駆動回路２５が接続されている。玉払い出し制御回路２４は前記カウントセンサ７にも接続されており、カウントセンサ７の出力を検出して賞品玉１２の払出個数を計数し、所定数の賞品玉１２の払い出しが終了すると、モータ駆動回路２５による駆動パルスの発生をストップさせるように構成されている。また、玉払い出し制御回路２４は、パチンコ機本体の制御を行う本体制御回路２３にも接続されている。この本体制御回路２３は、複数の入賞玉検出機２１と接続され、入賞玉の発生に伴ってそれぞれの入賞玉によって異なっている賞品玉１２の個数データを玉払い出し制御回路２４へ送ると共に、・・・」、
　（６）「【００１５】
  入賞玉検出機２１により入賞玉の発生が検出されると、・・・玉払い出し制御回路２４はモータ駆動回路２５へ駆動パルスの発生を指示する。そして、パルスモータ３がモータ駆動回路２５により発生させられた駆動パルスにより回転駆動されると、パルスモータ３の回転軸３ａに接続されている流下防止部材１の軸体１ａが図２に示す矢印Ａ方向へ回転する。それに伴い、賞品玉タンク１１から通路１３及び案内路１６を通って下部基体５に設けられた誘導路１８に供給されている賞品玉１２は、流下防止部材１の表面に螺旋状に形成された玉通路１ｂを通って徐々に下方へ移動し、払出口１７より落下する。
      【００１６】
  このとき、それぞれの払出口１７から落下する賞品玉１２が各払出口１７に対応したカウントセンサ７の突起７ａをはじくことにより、払い出された賞品玉１２の個数が玉払い出し制御回路２４にて計数される。そして、各払出口１７より払い出された賞品玉１２の合計個数が該入賞玉に応じた個数に達すると、玉払い出し制御回路２４は、モータ駆動回路２５への駆動パルスの発生指示をストップし、パルスモータ３の回転が停止する。すると、誘導路１８内の賞品玉１２は流下防止部材１に螺旋状に形成されている玉通路１ｂ上にて停止する。そして、次の入賞玉が発生して上述のようにパルスモータ３が回転駆動されると、それに伴って、賞品玉１２は前記玉通路１ｂを通って払出口１７より落下する。」、
　（７）「【００１８】
  このように構成することにより、入賞玉の種類に応じて賞品玉１２の個数が変化した場合でも、一系列の玉払出機１０にて簡単にその変化に対応することができ、また連続して入賞玉が生じた場合でも、従来のように賞品玉１２の払い出しに遅れが生じるということがなくなり、遊戯客は快適に遊戯を楽しむことができる。」　
　　　
　（８）また、玉払出機の構成を示す説明図である【図１】、及び玉払出機の分解斜視図である【図２】、並びに玉払出機をパチンコ機に取り付けた状態を示す説明図である【図３】に示された事項を併せると、図面には「賞品玉１２が流下防止部材１側へ横方向から案内するように形成される案内路１６」の事項、及び「軸体１ａの外周面に鍔状の玉通路１ｂが螺旋状に設けられる流下防止部材１」の事項が示されている。
　　
　したがって、上記の記載事項及び示された技術事項をまとめると、先願明細書等には、
　「パルスモータ３が回転駆動されると、パルスモータ３の回転軸３ａに留めネジ４により取り付けられている流下防止部材１の軸体１ａが回転し、それに伴い、賞品玉タンク１１から通路１３及び案内路１６を通って下部基体５に設けられた誘導路１８に供給されている賞品玉１２は、流下防止部材１の表面に螺旋状に形成された玉通路１ｂを通って徐々に下方へ移動し、払出口１７より落下する、玉払出機１０において、
　前記案内路１６を賞品玉１２が流下防止部材１側へ横方向から案内するように形成し、また、前記流下防止部材１はその外周面に鍔状の玉通路１ｂが螺旋状に設けられており、
　入賞玉の種類に応じて賞品玉１２の個数が変化した場合でも、また連続して入賞玉が生じた場合でも、迅速、且つ、任意な数の玉の払い出し動作を可能にすることができる、パチンコ機の玉払出機１０。」の考案（以下「先願考案」という。）が、記載されていると認められる。　
　　　
第三，本願発明と先願考案との比較・検討
　（１）先願考案の「流下防止部材１」は、「その外周面に鍔状の玉通路１ｂが螺旋状に設けられて」いるのであるから、本願発明の「リードスクリュー」に相当し、以下同様に「パルスモータ３」は「駆動モータ」に、「案内路１６」及び「誘導路１８」は「供給通路」に、「賞品玉１２」は「景品球」に、「払出口１７より落下する」は「排出する」に、「玉払出機１０」は「景品球払出装置」に、「回転軸３ａ」は「モータ軸」に、「留めネジ４により取り付け」は「一体に固着」に、「案内する」は「導かれる」に、「玉通路１ｂ」は「球支持部」に、「パチンコ機の玉払出機１０」は「パチンコ機の景品球払出装置」に、それぞれ相当する。
　（２）先願考案の「誘導路１８に供給されている賞品玉１２は、・・・徐々に下方へ移動し、払出口１７より落下する、玉払出機１０」について検討すると、「誘導路１８の賞品玉１２は、流下防止部材１の回転に伴い落下する、玉払出機」であり、また「入賞玉の種類に応じて賞品玉１２の個数が変化した場合でも、任意な数の玉の払い出し動作を可能にすることができる、玉払出機」なのであるから、上記（１）記載の事項と併せると、先願考案の「玉払出機」は、本願発明の「リードスクリューの回転により供給通路の景品球を１個ずつ排出するようにした景品球払出装置」の技術事項を有しているといえる。
　　
　したがって、本願発明と先願考案とを比較すると、両者の一致点及び相違点は次のとおりである。
　
　一致点
　リードスクリューと、該リードスクリューを回転させる駆動モータとを備え、前記リードスクリューの回転により供給通路の景品球を１個ずつ排出するようにした景品球払出装置において、前記駆動モータのモータ軸にリードスクリューを一体に固着し、前記供給通路を景品球がリードスクリュー側へ横方向から導かれるように形成し、また、リードスクリューはその外周面に鍔状の球支持部が螺旋状に設けられていることを特徴とするパチンコ機の景品球払出装置。　　
　
　相違点
　球支持部は、本願発明では少なくとも球導入側付近が球導入側に向かって薄くなるように形成されているのに対し、先願考案ではそのような構成を有するかどうか明らかでない点。　
　　
　そこで、上記相違点について検討する。
　パチンコ球側に向かって薄くなるように形成されている部材の駆動によりパチンコ球の流下を制御する技術は、例えば、特公平２−５８９５０号公報に示された「ストツパー部材５８」（公報第４頁第７欄第１４行乃至第１６行、及び第４頁第８欄第１４行乃至第１６行、並びに【第５図】乃至【第７図】参照）、及び実願平１−１１４１３２号（実開平３−５３２７８号）のマイクロフィルムに示された「くさび状の係止爪１３，１４」（明細書第６頁第１８行乃至第１９行、及び明細書第９頁第６行乃至第１０頁第１７行、並びに【第１図】参照）のように、周知・慣用の技術である。
　また、螺旋状部を備えた物品搬送装置において、物品導入側附近の螺旋状部が物品導入側に向かって薄くなるように形成されている技術は、例えば、実公昭６３−６０９９号公報に示された「螺旋山部３」（【第１図】乃至【第３図】参照）、及び特公平２−３４８４３号公報に示された「幅が搬送方向に向けて徐々に広がるようにされた、ねじ山１０」（公報第１頁第１欄第５行乃至第６行、及び【第１図】乃至【第３図】参照）のように、周知・慣用の技術である。
　そうすると、物品を移動させる機構において、物品間に進入する部材の先端を薄くなるように形成することは周知・慣用の技術と認められるから、当該相違点は「球導入側付近の球支持部」に対する、周知・慣用技術の付加であって、新たな効果を奏するものではないから、当該相違点は実質的な相違点ではない。
　　　　　
第四，むすび
　以上のとおり、本願発明は、先願考案と同一であり、しかも、本願の発明者と上記先願の考案をした者が同一の者であるとも、また、本願の出願時に、その出願人と上記先願の実用新案登録出願の出願人とが同一の者であるとも認められないので、本願発明は、平成６年改正前特許法第２９条の２第１項の規定により、特許を受けることができない。
　
　したがって、他の請求項に係る発明について検討するまでもなく、本願は拒絶すべきものである。
　
　よって、結論のとおり審決する。